(57)【要約】      （修正有）【課題】装置使用時に平板体からの振動・揺動が生じる場合であっても、従来に比べて壊れにくい構造を備える平板体用集合包装装置を提供する。また、平板体からの振動・揺動による応力が、支持体をなす部材同士の連結部に及びにくい構造を持つ平板用集合包装装置を提供する。【解決手段】装置本体3Aに並設された各支持体31のそれぞれに当接するように、支持材322を配設した底座31を前記装置本体3Aの鉛直方向下方に配設する。このとき、底座31の固定留め具321Aと支持体31の切り欠き部311Aとを重ね、互いに設けられた各2つのネジ孔321B、311Bにネジ324を螺合させることで、平板体用集合包装装置1を構成する。【選択図】図１
0003122089.tif 000002
【実用新案登録請求の範囲】
【請求項１】
水平方向にスリットを有する複数の支持体が所定間隔毎に並設された装置本体を有し、前記スリットに対して外部より挿入される平板体が、前記装置本体における複数の支持体にわたり懸架されて収納される平板体用集合包装装置であって、
前記装置本体の鉛直方向下方には、底座が前記装置本体における各支持体と一体的に当接するように配設され、且つ、当該底座が前記支持体の各々と固定されている
ことを特徴とする平板体用集合包装装置。
【請求項２】
前記支持体は矩形枠体であって、
前記底座は、前記支持体をその主面の平面方向両端部から挟設する構成である
ことを特徴とする請求項1に記載の平板体用集合包装装置。
【請求項３】
前記底座は、複数の長尺状の支持材が所定間隔毎に併設され、当該各支持材の両端部には、当該端部のそれぞれを一体的に固定するための梁材が配設されてなり、
前記底座は、前記各支持材が前記装置本体の各支持体と当接するように配設されている
ことを特徴とする請求項1または2に記載の平板体用集合包装装置。
【請求項４】
前記底座と前記各支持体とは、各支持体毎の幅方向両端部の各端部における2以上の所定領域において螺合により互いに固定されている
ことを特徴とする請求項3に記載の平板体用集合包装装置。
【請求項５】
前記螺合は、梁材側に取着された固定留め具と支持体側に穿孔されたネジ孔を利用してなされており、
前記底座において、前記支持材、前記固定留め具及び前記梁材は、互いに溶接により接合されている
ことを特徴とする請求項4に記載の平板体用集合包装装置。  
【考案の詳細な説明】
【技術分野】
【０００１】
本考案は集合包装装置に関し、特に、パネルガラス等の平板体用集合包装装置に関する。
【背景技術】
【０００２】
従来から、パネルガラス、LCDスクリーンなどの脆弱な平板体を複数枚にわたり、一括して包装し収納・運送するための装置として、平板体用集合包装装置が存在する（例えば特開平6-80116号公報）。
図3は、従来の代表的な平板体用集合包装装置の構成例を示す図である。
当該平板体用集合包装装置4は当図に示されるように、複数の矩形枠状の支持体41が、互いに一定間隔をおいて配設され、当該装置本体4Aの周囲が短冊状のフレーム42で固定された箱体を備える。フレーム42と各支持体41は、互いにスポット溶接等で接合される。
【０００３】
各支持体41は、それぞれ一対の縦部材411と横部材412の各端部を互いにネジ43で螺合させて矩形枠体とされており、当該矩形枠体の内部において、複数の細い長尺体413が所定間隔で並設され、隣接長尺体413間に形成されるスリット41aが、垂直方向にわたり複数配設されている。
これにより、隣接する支持体41において同じ高さに位置するスリット41aのそれぞれに対し、平板体が外部から挿入され、個別に収納される。
【考案の開示】
【考案が解決しようとする課題】
【０００４】
しかしながら、上記図3に示すような従来の平板体用集合包装装置では、以下の問題がある。
すなわち上記構成の装置では、スリット41aに挿入された平板体の動きを規制することは事実上困難である。このため搬送中の振動・揺動の程度により、装置内で平板体が横滑りを起こすことがある。
【０００５】
そして振動・揺動が生じる際、各平板体はスリット41a内部において各縦部材411に当接し、当該各縦部材411に側面から押圧力や衝撃といった不測の応力を負荷させる。
そしてこのような応力は、最終的には前記一対の縦部材及び横部材の連結部分（螺合部分）に集中して及ぶ。当該連結部分では、図4に示すように、ネジ43によって縦部材411と横部材412が当接するように固定されているが、縦部材411のいずれの部分に押圧量や衝撃が加わっても、その応力は全てネジ43を中心とする接合部414に集中して及ぶこととなるため、当該接合部414における負荷は局所的に相当なものとなる。これにより接合部414を中心として、縦部材411と横部材412が破損し、或いはネジ43が折れる危険があり、いずれの場合にも最悪の場合には、装置自体の崩壊を招くこととなる。
【０００６】
このように、現在の集合包装装置においては、未だ解決すべき課題が残されている。
本考案は以上の課題に鑑みてなされたものであって、第一の目的として、装置使用時に平板体からの振動・揺動が生じる場合であっても、従来に比べて壊れにくい構造を備える平板体用集合包装装置を提供する。
また、第二の目的として、平板体からの振動・揺動による応力が、支持体をなす部材同士の連結部に及びにくい構造を持つ平板体用集合包装装置を提供する。
【課題を解決するための手段】
【０００７】
上記課題を解決するため、本考案は、水平方向にスリットを有する複数の支持体が所定間隔毎に並設された装置本体を有し、前記スリットに対して外部より挿入される平板体が、前記装置本体における複数の支持体にわたり懸架されて収納される平板体用集合包装装置であって、前記装置本体の鉛直方向下方には、底座が前記装置本体における各支持体と一体的に当接するように配設され、且つ、当該底座が前記支持体の各々と固定されているものとした。
【０００８】
ここで前記支持体は矩形枠体であって、前記底座は、前記支持体をその主面の平面方向両端部から挟設する構成とすることもできる。
また、前記底座は、複数の長尺状の支持材が併設され、当該各支持材の両端部には、各々の支持材の前記端部を一体的に固定するための梁材が配設されてなり、前記底座は、前記各支持材が前記装置本体の各支持体と当接するように配設され、前記梁材は、各支持体を外部から一体的に挟持する構成とすることもできる。
【０００９】
さらに前記底部と前記各支持体とは、支持体毎の各端部における１以上の所定領域において、ネジ及びネジ孔付固定具を用いた螺合により互いに固定されている構成とすることもできる。
また前記ネジ孔付固定具は、前記梁材側に取り付けられ、前記底座において、前記支持材、前記ネジ孔付き固定具及び前記梁材は溶接により配設されている構成とすることもできる。  
【考案の効果】
【００１０】
上記構成を持つ本考案の平板体用集合包装装置によれば、装置本体の鉛直方向下方に、補強手段としての底座が配設され、底座と各支持体とが各々において固定されているため、固定箇所が従来装置よりも増した構成になっている。
その結果、平板体の収納時又は搬送時において、振動や揺動等の外力の影響を受けたとしても、当該振動や揺動に掛かる応力が、前記固定部分のそれぞれに分散されるため、各固定部分に集中する応力が小さく抑えられる。従って、当該装置が平板体より前記衝撃や揺動を受けても、容易に装置の構成要素が撓んだり変形を起こすことはなく、経時的に良好な装置形態が保たれ、平板体の保存が確実になされる。
【００１１】
さらに本発明では、底座において各支持材の両端を梁材に一体的に固定させ、装置本体における各支持体の両端を前記梁材で外部より挟むように設けることで、支持体同士を強固に保持することができるようになり、一層機械的強度に優れる装置を実現することができる。
また、各支持体と底座との固定部分において、ネジとネジ孔固定具を利用して両者を螺合により固定する場合、各固定部分にネジ孔を2個以上設けるようにすれば、当該ネジ孔を中心に支持体が底座に対して変形し、破壊されるといった問題が生じないため好適である。
【００１２】
さらに前記底座において、前記支持材、前記ネジ孔付き固定具及び前記梁材を金属材料で構成し、これらを溶接により配設するようにすれば、一層優れた機械的強度を持つ装置を構成することができる。
なお、本明細書で「外力」または「応力」とは、搬送自体をなすための外力ではなく、支持体を振動させたり、当該支持体等、平板体用集合包装装置の構成要素を破損させたりする不要な力の総称を指すものとする。
【考案を実施するための最良の形態】
【００１３】
以下に、本考案の実施の形態を説明するが、当然ながら本考案はこれらの形式限定されるものでなく、本考案の技術的範囲を逸脱しない範囲で適宜変更して実施することができる。
＜実施の形態1＞
（平板体用集合包装装置1の構成）
以下、本考案における実施の形態1について説明する。
【００１４】
図1は、本実施の形態1の平板体用集合包装装置1の組図である。図2は、当該装置の正面図である。
図1に示される平板体用集合包装装置1は、装置本体3Aと、その鉛直方向下方に配設された底座32で構成される。
装置本体3Aは、矩形枠体状の支持体31、短冊状のフレーム314等で構成される。
【００１５】
支持体31は、1本の横部材312の両端に一対の縦部材311が直交して当接するように配され、その各端部が接合部315で連結され、さらに図2に示すように、一対の縦部材311の間に複数の長尺体313（ここでは3本であるが、これ以外の本数であってもよい）が水平且つ互いに並行になるように、垂直方向に一定間隔毎に配設されてなる。隣接する長尺体313の間には、スリット31aが形成される。
【００１６】
横部材312及び縦部材311には、いずれも軽量な金属製（例えばアルミ製、鉄製等）の角柱材料を用いることができ、当該横部材312及び縦部材311は、前記接合部315で溶接或いは図4に示す螺合により連結されている。
長尺体313には、金属、木材等のいずれの材料も用いることができるが、例えば柔軟なロープ材料または樹脂材料を用いることで、平板体を外部衝撃から保護し、かつその表面を傷つけることなく保存することができる。
【００１７】
ここで、各縦部材311には、鉛直方向下方における、底座32の固定留め具321Aとの当接部分において切り欠き部311Aが設けられ、さらに当該切り欠き部311Aに2個のネジ孔311Bが形成されている。
さらに各支持体31は、互いに所定間隔で並設された状態で複数の短冊状フレーム314を用いた溶接或いは不図示のネジにより連結される。これにより、全体として図1に示す立方体状の装置本体3Aが形成される。
【００１８】
なお、当該装置本体3Aによって良好な機械的強度を得るためには、横部材312及び縦部材311は溶接により接合することが好適である。
装置本体3Aにおいて、各支持体31におけるスリット31aには、隣接する各支持体31にわたって張架されるように、LCDのガラスパネル等として用いられる平板体がオペレータより外部から収納される。
【００１９】
底座32は、複数の支持材322、梁材321並びに留め具321Aからなり、支持材322を前記装置本体3Aにおける各支持体31と同じ一定間隔毎に併設した状態で、その各両端部が梁材321とを溶接により固定された構成を持つ。さらに各溶接部323に対応する梁材321の位置には、前記装置本体3Aと対向する部分において、2個のネジ孔321Bを持つL字型金具として、固定留め具321Aが溶接で固定されている。
【００２０】
複数の支持材322、梁材321並びに固定留め具321Aは、いずれも金属製（例えばアルミ製、鉄製等）の溶接可能な角柱材料からなる複数の支持材322、短冊状の梁材321並びに固定留め具321Aで構成される。
各支持材322は、図2に示すように、前記装置本体3Aにおける各支持体31に対し、鉛直方向下方から当接し、これを支持する役目をなす。そして、その両端部において設けられた2本の梁材321に溶接固定されている。
【００２１】
装置本体3Aと底座32とは、ネジ孔311B、321B同士が重なるように組み合わされた状態で、切り欠き部311A及び固定留め具321Aにおいて、複数のネジ324を用いた螺合により互いに固定される。これにより、固定部分330が形成される。
なお、底座32のバリエーションとして、支持材322を用いず、例えば装置本体3Aの鉛直方向底面のサイズ・形状に合わせた一枚の金属板を用意し、当該金属板の所定位置に固定留め具321Aを配設して構成することもできる。
【００２２】
（平板体用集合包装装置1の効果）
以上の構成を持つ本実施の形態1の平板体用集合包装装置1によれば、使用時においては,
まずオペレータが前記スリット31aのそれぞれに対し、パネルガラス等の平板体を外部より挿入する。これにより平板体は、柔軟ロープからなる長尺体313により互いに隔離されつつ保持される。
【００２３】
このような使用時又は平板体を収納した後の平板体用集合包装装置1の搬送時では、前記スリット31aに収納された平板体が各支持体31の縦部材311に当たった場合であっても、第一に、装置本体3Aの鉛直方向下方に補強手段としての底座32が配設され、底座32と各支持体311とが各々において固定されているため、平板体の揺動・振動により各支持体31が受けた外力や応力は、前記固定部分330を通じて底座32側に分散される。
【００２４】
ここで各固定部分330では、2 本のネジ324を用いた螺合がなされているため、従来構成のように、縦部材311及び横部材312の螺合に用いられる1本のネジに平板体用集合包装装置1が受けた平板体や外部等からの応力が集中することもない。従って、従来に比べ応力の拡散が図られるので、支持体31が縦部材311及び横部材312の接合付近で亀裂を生じて破損するといった問題を生じることがない。
【００２５】
第二に、平板体用集合包装装置1において、装置本体3Aの縦部材311は、底座32の固定留め具321Aと2個のネジ324を用いた螺合により固定されている。従って、縦部材311と底座32とが、固定部分330における前記ネジ324のいずれかのネジ軸を回転中心として揺動しようとする応力を受けても、他方のネジ324によってこの動きを制止する作用がなされるため、装置本体3Aが底座32に対して変形することが防止され、結果として平板体用集合包装装置1全体の変形が良好に抑制される効果が発揮される。
【００２６】
さらに第三に、平板体用集合包装装置1の各支持体31は、底座32における2枚の梁材321により、図2に示す如くその幅方向両端から挟みこむように配設されているため、常に固定留め具321Aより外側への変形は規制されている。その結果、縦部材311と横部材312との接合部315において変形応力が集中しても、縦部材311と横部材312とが接合部分を中心に互いに捩れ、破壊されることがない。
【００２７】
尚、支持体31の縦部材311と横部材312は、溶接の他に図示しないネジを用いて螺合することもできるが、当該螺合手段を用いる場合であっても、底座32によって挟み込まれた構成を有するため、高い強度を持つ平板体用集合包装装置1を構成することができる。
このように本考案によれば、使用時に平板体からの振動・揺動が生じる場合であっても、従来に比べて壊れにくい構造を備える平板体用集合包装装置1が実現できる。
【００２８】
また本考案では、底座32の配設によって、平板体からの振動・揺動による応力が、支持体31をなす部材311、312同士の連結部315に及びにくい構造を持つ平板用集合包装装置1を実現することができる。
＜その他の事項＞
上記実施の形態では、ネジ324と固定留め具321Aにより底座32と装置本体3Aとを固定する構成について例示したが、本発明はこれに限定せず、リベットや溶接により両者を固定するようにしてもよい。
【００２９】
また本発明は、パネルガラス等の平板体を収納する平板体用集合包装装置の構成に掛かるものであるが、本発明はこれに限定されるものではなく、平板体以外を集合包装する装置に適用してもよい。
【産業上の利用可能性】
【００３０】
本考案の平板体用集合包装装置は、例えばフラットディスプレイパネルに用いられるガラス板、LCDスクリーン等の比較的脆弱な平板体材料に関し、物理的損傷や周囲環境から良好に保護しつつ、搬送・収納等を行う場面において利用することができる。
【図面の簡単な説明】
【００３１】
【図１】本考案の実施の形態1における平板体用集合包装装置の分解斜視図である。
【図２】本考案の実施の形態1における平板体用集合包装装置の側面図である。
【図３】従来の平板体用集合包装装置の分解斜視図である。
【図４】従来の平板体用集合包装装置の縦部材と横部材との連結部分を示す断面図である。
【符号の説明】
【００３２】
1    平板体用集合包装装置
3A    装置本体
4    底座
31    支持体
31a    スリット
32    底座
311A    スリット
311    縦部材
312    横部材
313    長尺体
314    フレーム
315    接合部
321    梁材
321A    固定留め具
322    支持材
323    溶接部
324    ネジ
【図１】
0003122089.tif 000003
【図２】
0003122089.tif 000004
【図３】
0003122089.tif 000005
【図４】
0003122089.tif 000006